Podtech/llm-jp-corpus-v4-ja_patent huggingface dataset:
(57)【要約】      （修正有）【課題】ボリューム感と重厚性に富む二重ワッフル紋織物およびその織物を使用した製品を提供する。【解決手段】ワッフル組織とガーゼ組織からなる二重紋織物であり、上段ワッフル、中段ワッフル、下段ガーゼの順、または、上段ワッフル１、中段ガーゼ２、下段ワッフル３の順に接結点で連結して形成されている。【選択図】図１
0003162762.tif 000002
【実用新案登録請求の範囲】
【請求項１】
ワッフル組織とガーゼ組織からなる二重ワッフル紋織物であり、（１）上段ワッフル、（２）中段ワッフル、（３）下段ガーゼの順、または、（１）上段ワッフル、（２）中段ガーゼ、（３）下段ワッフルの順に接結点で連結して形成されている二重ワッフル紋織物およびその織物を使用した製品。
【考案の詳細な説明】
【技術分野】
【０００１】
本考案は生活資材用、殊に、衣料用、自動車内装用、室内装飾用、寝装用、浴用等に好適なガーゼ地組織を織り込んだ二重ワッフル紋織物に関する。
【背景技術】
【０００２】
浮き糸を四角形に使って枡（ます）型の凹凸を織り出したもので、ちょうど蜂の巣、お菓子のワッフルに似ているので次の名称がある。ハニカムクロス、ワッフルクロス、ます織とも言う。地厚い感じを与え、肌ざわりが良く、夏はさらっとした感じ、冬は保温性があって暖かい。変化組織で布面に蜂の巣状の凹凸を織り出した、ハンドタオル、敷布、寝具掛け、夏服地などが知られている。ところが、ワッフル紋組織が一重のものは知られているが、超厚手、ボリューム感のあるものは、知られていない。
【０００３】
一方、タオルパイル地とガーゼ地とを不規則に交錯させて中間にパイルを織り込んだ織物が開示されているが、通常のタオル織物であり、織物の重厚性、およびボリューム感がない。（特許文献１）
【先行技術文献】
【特許文献】
【０００４】
【特許文献１】実用新案登録第３０９８８５４号公報
【考案の概要】
【考案が解決しようとする課題】
【０００５】
従来のワッフルクロスは、変化組織で布面に地厚い感じを与えるものの、もうひとつ、ボリューム感と重厚性が不足していた。ボリューム感の増加、超厚手化のニーズはあるものの、開発は未達の状況であった。ワッフル紋織り組織の二段重ね、あるいは表裏両面にワッフル紋様を表現し、従来に無いボリューム感と重厚性を有するワッフル紋織物を提供することを課題とする。
【考案の効果】
【０００６】
本考案の二重ワッフル紋織物は、ワッフル紋織り組織の二段重ね、あるいは表裏両面にワッフル紋様を表現しており、従来のワッフルクロスに比べて超厚手でボリューム感があり、夏はサラッとした感じ、冬は保温性があって暖かい。今までに無いクッション性も高い。また、通気性が良く、保温性も兼ね備えており、濡れた場合、乾燥が早いのも特徴の一つである。更に、ガーゼ組織は、肌触りが良く、柔らかいのが特徴であり、紋織り組織多重化の接結の安定化に寄与するとともに、例えば、自動車の内装、家具、寝具、床などへの接合に際し、接合のためのベース基布の役目を果たすので極めて効果的である。布面に蜂の巣状の凹凸を織成しており、ハンドタオル、バスマット、寝具掛け、自動車の内装材、などの用途に好適な二重ワッフル紋織物が提供できる。
【図面の簡単な説明】
【０００７】
【図１】本考案実施例１の概略見取り図であり、表面および裏面ワッフル、中ガーゼからなる二重ワッフル紋織物を示す。
【図２】本考案実施例２の概略見取り図であり、表二重ワッフル、裏ガーゼからなる二重ワッフル紋織物を示す。
【図３】本考案実施例１の表面および裏面ワッフル、中ガーゼからなる二重ワッフル紋織物の経通し全体組織図である。
【図４】本考案実施例２の表二重ワッフル、裏ガーゼからなる二重ワッフル紋織物の経通し全体組織図である。
【図５】本考案実施例１の表面および裏面ワッフル、中ガーゼからなる二重ワッフル紋織物の織前から見た断面図である。
【図６】本考案実施例２の表二重ワッフル、裏ガーゼからなる二重ワッフル紋織物の織前から見た断面図である。
【考案を実施するための形態】
【０００８】
本考案は、ワッフル紋織り組織の二段重ね、あるいは表裏両面にワッフル紋様を表現しており、従来のワッフルクロスに比べて超厚手でボリューム感が形成されている。その構成は、ワッフル組織とガーゼ組織からなる二重ワッフル紋織物であり、（１）上段ワッフル、（２）中段ワッフル、（３）下段ガーゼの順、または、（１）上段ワッフル、（２）中段ガーゼ、（３）下段ワッフルの順に接結点で連結して形成されている二重ワッフル紋織物およびその織物を使用した製品である。
【０００９】
製品用途の展開に応じて、（１）上段ワッフルの上に更にワッフル層あるいはガーゼ層を形成すること及び、（３）下段ガーゼの下または（３）下段ワッフルの下にワッフル層あるいはガーゼ層を形成しても良い。
【実施例】
【００１０】
（実施例１）
ドビー織機を用い、二重ビーム（ガーゼビーム、ワッフルビーム）、筬羽数１２枚（ワッフルパイル糸１０枚、ガーゼ糸２枚）を用いて図３に示す組織図に基づいて織成した。
別に耳部は２枚を用いた。
【００１１】
図１は、本考案二重ワッフル紋織物実施例１の概略見取り図であり、表面および裏面ワッフル、中ガーゼからなる二重ワッフル紋織物を示す。１は、上段（表面）ワッフル、２は、中段ガーゼ、３は、下段（裏面）ワッフルを示す。
【００１２】
図３は、同実施例１の紋織り組織図を示す。たての１〜４０の数字は、緯糸ピック数を示す。よこの１〜１２の数字は筬枚数を示す。Ｐはパイル糸、Ｇはガーゼ糸を示す。Ａは上げる、Ｓは沈む、Ｔは止める（引っ掛け）を示す。
【００１３】
図５は、同実施例１の二重ワッフル紋織物の織前から見た断面図を示す。
【００１４】
図２は、本考案二重ワッフル紋織物実施例２の概略見取り図であり、表二重ワッフル、裏ガーゼからなる二重ワッフル紋織物を示す。４は、上段（表面）ワッフル、５は、中段ワッフル、６は、下段（裏面）ガーゼを示す。
【００１５】
図４は、同実施例２の二重ワッフル紋織り組織図を示す。たての１〜４０の数字は、緯糸ピック数を示す。よこの１〜１２の数字は筬枚数を示す。Ｐはパイル糸、Ｇはガーゼ糸を示す。Ａは上げる、Ｓは沈む、Ｔは止める（引っ掛け）を示す。
【００１６】
図６は、同実施例２の二重ワッフル紋織物の織前から見た断面図を示す。
【産業上の利用可能性】
【００１７】
従来に無いボリューム感と重厚性を有するワッフル紋織物を提供することができ、ハンドタオル、浴用タオル、バスマット、寝具、自動車の内装材、などの用途に幅広く用途の展開が可能である。
【符号の説明】
【００１８】
１  上段ワッフル
２  中段ガーゼ
３  下段ワッフル
４  上段ワッフル
５  中段ワッフル
６  下段ガーゼ
【図１】
0003162762.tif 000003
【図２】
0003162762.tif 000004
【図３】
0003162762.tif 000005
【図４】
0003162762.tif 000006
【図５】
0003162762.tif 000007
【図６】
0003162762.tif 000008
(57)【要約】【目的】輸送に問題がなく、しかも電圧・電流が降下しない１１０Ｗ型直管蛍光灯型LED照明灯を提供する【構成】１１０Ｗ型直管蛍光灯型LED照明灯を２分割し、夫々に、ＬＥＤ電路板とコンバーターとを内装し、夫々の蛍光灯型LED照明灯は、一端に端子部を有し、他端で可倒若しくは分離可能に連結し、輸送に問題がなく、しかも電圧・電流の降下が減少するようにした。【選択図】図２
0003162747.tif 000002
【実用新案登録請求の範囲】
【請求項１】
１１０Ｗ型直管蛍光灯型LED照明灯を２分割し、夫々に、ＬＥＤ電路板とコンバーターとを内装し、夫々の蛍光灯型LED照明灯は、一端に端子部を有し、他端で可倒若しくは分離可能に連結したことを特徴とする分割蛍光灯型LED照明灯。
【請求項２】
前記２分割した蛍光灯型LED照明灯を折曲し得るように連結してなる請求項１記載の分割蛍光灯型LED照明灯。
【請求項３】
前記２分割した蛍光灯型LED照明灯を蝶番で折曲し得るように連結してなる請求項２記載の分割蛍光灯型LED照明灯。
【請求項４】
前記蛍光灯型LED照明灯は、前記ＬＥＤから放出された光を拡散させる拡散カバーと、該拡散カバーと結合して直管蛍光灯形状のチューブを形成する散熱カバーとを具備する請求項１〜３のいずれかに記載の分割蛍光灯型LED照明灯。
【請求項５】
前記散熱カバーは、アルミニウムで形成され、多数の孔が穿設されている請求項１〜４のいずれかに記載の分割蛍光灯型LED照明灯。
【請求項６】
前記拡散カバーは、合成樹脂で形成されている請求項１〜５のいずれかに記載の分割蛍光灯型LED照明灯。
【考案の詳細な説明】
【技術分野】
【０００１】
本考案は、蛍光灯型LED照明灯を２分割し、これを連結した分割蛍光灯型LED照明灯に係り、詳記すれば、長さが２４００ｍｍあるので輸送に不便なことと、電圧・電流が降下するという１１０Ｗ型の問題を解決した分割蛍光灯型LED照明灯に関する。
【背景技術】
【０００２】
直管蛍光灯型LED照明灯は、蛍光灯の３分の１の消費電力であることと、蛍光灯の５倍以上の長寿命であることから、従来の蛍光灯に変わりつつある。しかしながら、蛍光灯型LED照明灯の１１０Ｗ型は、（１）長さが２４００ｍｍあることから、輸送に不便であることと、（２）一つのコンバーターで２４００ｍｍの基板に直流電流を流すと、電圧・電流が降下する、問題があることが判明した。
【考案の開示】
【考案が解決しようとする課題】
【０００３】
この考案は、このような点に着目してなされたものであり、輸送に問題がなく、しかも電圧・電流の降下が減少する蛍光灯型LED照明灯を提供することを目的とする。  
【課題を解決するための手段】
【０００４】
上記目的を達成するため、本考案者は鋭意研究の結果、蛍光灯を２分割し、これを連結して１１０Ｗ型とすることにより、輸送の問題と、電圧・電流の降下の問題が一挙に解決されることを見出し、本考案に到達した。
【０００５】
即ち本考案は、１１０Ｗ型直管蛍光灯型LED照明灯を２分割し、夫々に、ＬＥＤ電路板とコンバーターとを内装し、夫々の蛍光灯型LED照明灯は、一端に端子部を有し、他端で可倒若しくは分離可能に連結したことを特徴とする。
前記２分割した蛍光灯型LED照明灯を折曲し得るように連結するのが好ましい（請求項２）。前記２分割した蛍光灯型LED照明灯を蝶番で折曲し得るように連結するのが好ましい（請求項３）。
【０００６】
本考案の蛍光灯型LED照明灯は、前記ＬＥＤから放出された光を拡散させる拡散カバーと、該拡散カバーと結合して直管蛍光灯形状のチューブを形成する散熱カバーとを具備するのが好ましい（請求項４）。前記散熱カバーは、アルミニウムで形成され、多数の孔が穿設されているのが好ましい（請求項５）。前記拡散カバーは、合成樹脂、好ましくはポリカーボネートで形成されているのが好ましい（請求項４）。
【考案の効果】
【０００７】
本考案によれば、蛍光灯型LED照明灯を２分割し、それぞれにＬＥＤ電路板とコンバーターとを内装することにより、折曲若しくは分離できるので輸送に問題がなく、しかも電圧・電流の降下が減少するという絶大な効果を奏する。  
【図面の簡単な説明】
【０００８】
【図１】本考案の一実施例を示す正面図である。
【図２】本考案の蛍光灯型LED照明灯を折り畳んだ状態を示す正面図である。
【符号の説明】
【０００９】
１，１´・・・・・・直管蛍光灯型LED照明灯
２，２´・・・・・・端子部
３・・・・・・拡散カバー
４・・・・・・散熱カバー
【考案を実施するための最良の形態】
【００１０】
以下、添付図面に従って、本考案の具体例を更に詳細に説明する。
【００１１】
図１は、本考案の一実施例を示すものであり、１１０Ｗ型直管蛍光灯型LED照明灯を２分割し、端子部２，２´の他端を蝶番で折曲し得るように連結した例を示す。夫々の本考案の蛍光灯型LED照明灯１，１´内には、ＬＥＤ電路板（図示せず）とコンバーター（図示せず）が内装されている。多数のＬＥＤを固定した電路板は、略LED照明灯の長さ近い長さを有している。コンバーターは、この実施例では、連結部付近に内装されている。
【００１２】
一つのコンバーターで２４００ｍｍの基板に直流電源を流すと、電圧・電流が降下するが、上記のようにそれぞれを１２００ｍｍの長さにすれば、電圧・電流の降下は、極めて少なくなる。
【００１３】
また、図２に示すように、上記本考案の直管蛍光灯型LED照明灯は、折り畳むことが出来るので、輸送上の問題が解決される。
【００１４】
折曲し得るように連結するのは、蝶番でなくとも差し支えない。分離し得るように連結しても差し支えない。例えば一方に筒状体を嵌合させ、該筒状体に他方のLED照明灯を嵌合させても良い。この嵌合を螺合させるようにしても差し支えない。
【００１５】
前記直管蛍光灯型LED照明灯は、前記ＬＥＤから放出された光を拡散させる拡散カバー３と、該拡散カバー３と結合して直管蛍光灯形状のチューブを形成する散熱カバー４とから形成されている。前記散熱カバー４は、アルミニウムで形成され、多数の孔が穿設されている。前記拡散カバー３は、合成樹脂のポリカーボネートで形成されている。
【産業上の利用可能性】
【００１６】
蛍光灯型ＬＥＤの１１０Ｗ型の問題点を簡単な機構で解決したので、広範に普及することが期待される。
【図１】
0003162747.tif 000003
【図２】
0003162747.tif 000004
(57)【要約】【課題】かつらを装着した時にズレたり、持ち上がったり、又外れたりすることがなく、また自毛を痛める事がなく、安心して装着する事ができるかつらを提供する事を目的とする。【解決手段】柔軟なプラスチック又はエラストマーでなるベースに多数個の突起が一体成形されてなる滑り止め体が、かつらのベースの裏面の側頭部及び後頭部に当たる箇所に取り付けられてなる事を特徴とする。【選択図】図２
0003162727.tif 000002
【実用新案登録請求の範囲】
【請求項１】
柔軟なベースに多数個の突起が一体成形されてなる滑り止め体が、装着者の側頭部及び後頭部に当たる箇所に取り付けられてなることを特徴とするかつら。
【考案の詳細な説明】
【技術分野】
【０００１】本考案はかつらを装着した時にズレたり、持ち上がったり、また外れたりすることのないかつらに関する。
【背景技術】
【０００２】かつらを被って装着するときに、人それぞれ頭の大きさやその形状が異なっており、ずり上がったり、浮き上がったり、また微妙に上下左右にずれる問題があった。
従来、この種類のかつらは、ゆるめに製作しておいてゴムひもなどで引っ張ったり、ゴムの伸縮性ネットを一部に使用したりして固定するようにしていた。（特許文献１参照）又、金属製のかつら止め具などで自毛に留めて、そのかつらの装着時のずりあがり、浮き上がり、また上下左右のずれを防止しようとしていた。しかし、強風の時やダンス、運動をする時などではそのかつらのずりあがり、浮き上がり、上下左右のずれを防止することが出来ず不安が絶えずあった。又かつら止め具は通常金属製やプラスチック製であり、厚みがあり、使用感が悪かった。又、かつら止め具は自毛に留める必要があるが、自毛の根元に固定することは出来ず、かつらを装着した時の固定感が不足していた。又、自毛の少ない人々には、固定が充分でなく、かつらが浮き上がったり、ずれたりしてしまった。
【先行技術文献】
【特許文献】
【０００３】
【特許文献１】  特開２００７−３２１２９８
【考案の概要】
【考案が解決しようとする課題】
【０００４】本考案はこのような欠点を解消し、誰でも安心してかつらを装着することが出来るかつらを提供することを目的としてなされたものである。
【課題を解決する為の手段】
【０００５】本考案は柔軟なベースに多数個の突起が一体成形されてなる滑り止め体が、装着者の側頭部及び後頭部に当たる箇所に取り付けられたものである。
【考案の効果】
【０００６】本考案によれば柔軟なプラスチックやエラストマーでなる一面に、多数個の突起が一体成形されてなる滑り止め体が、かつらのベースの裏面の側頭部及び後頭部に当たる位置に取り付けられていることにより、かつらを装着した時、少々緩めに製作されていても、その柔軟なる突起が自毛を通して頭皮にやわらかく接し、かつらの裏面に多数個埋設されているために、自毛をグッリプし、またホールドし、かつらがずりあがったり、浮き上がったり、上下左右にずれたりすることがない。
【図面の簡単な説明】
【０００７】
【図１】  本考案に使用される滑り止め体の一例を示す斜視図。
【図２】  本考案かつらの一例を示す側面図。
【図３】  本考案かつらの別の例を示す側面図
【考案を実施するための形態】
【０００８】以下、本考案の実地例を図面に従って説明し本考案の理解に供する。尚、以下の実地例は本考案の一具体例に過ぎず、本考案の技術的範囲を限定する性格のものではない。
【０００９】図１は柔軟なプラスチックやエラストマーのものでなる滑り止め体３を示している。滑り止め体３の一面に多数個の突起４、４が一体成形されている。
図２はかつら１のベースのネット２の裏面の下縁部付近に、図１で示された柔軟なプラスチックやエラストマーでなる一面に多数個の突起４、４が一体成形されてなる滑り止め体３が装着者の側頭部及び後頭部に当たる箇所に取付けられている。また伸縮性のネットやゴムなどを取り付けておけばその締め付けの作用により、その柔軟なる滑り止め体をよりしっかりと頭部に固定することができる。それによりかつらを装着した時に頭部にフィットし、ずれることがなく安心して装着することができる。  尚、図では、かつらの毛髪は半分以上省略して表している。
図３は滑り止め体３ａが装着者の頭部全周に亘って設けられた例である。万遍なく装着者の頭部を柔らかく保持する。
【符号の説明】
【００１０】１            かつら
２            かつらのベースネット
３、３ａ      滑り止め体
４            突起
【図１】
0003162727.tif 000003
【図２】
0003162727.tif 000004
【図３】
0003162727.tif 000005
(57)【要約】      （修正有）【課題】水着が濡れた状態時、脱ぎ着しなくてもトイレが利用できるように工夫した脇開閉式ワンピース型水着を提供する。【解決手段】脇開閉式ワンピース型水着の左脇のウエスト位置の約５センチメートル上から最下部まで切込みを設け、開閉可能にする。脇開閉式ワンピース型水着の切込みにファスナーを設け、ファスナー開放防止スナップ付きベルトを設ける。子供用は扱い易いマジックテープ（登録商標）使用。【選択図】図１
0003162721.tif 000002
【実用新案登録請求の範囲】
【請求項１】
ワンピース型水着の脇にファスナーを設け開放可能とし、脱がずにトイレが出来る脇開閉式ワンピース型水着。
【請求項２】
請求項１の水着のファスナーの最下部位に不要にファスナーが開放しないためのベルトを設けた脇開閉式ワンピース型水着。
【考案の詳細な説明】
【技術分野】
【０００１】  この考案は、脇開閉式ワンピース型水着に関するもので、海やプールにおいて、水着を着用後、濡れた水着を脱ぎ着することは大変であった。
そこで、水着が濡れた状態時、脱ぎ着しなくてもトイレが利用できるように工夫した脇開閉式ワンピース型水着に関するものである。
【背景技術】
【０００２】  従来、海やプールにおいて、水着を着用したままで、トイレを利用する際、特に水着が濡れているとき、水着が身体に密着しているため、脱ぎ着が大変困難であった。
【考案が解決しようとする課題】
【０００３】  従来の水着には次のような欠点があった。
（イ）トイレを利用する際、濡れた水着を脱ぐ時、水着が肌に密着しているため、大変脱ぎにくく、再び着用することもとても困難であった。
（ロ）無理に引き上げると生地が破れることもあった。
本考案は、以上のような欠点をなくすためになされたものである。
【課題を解決するための手段】
【０００４】  脇開閉式ワンピース型水着の左脇のウエスト位置の約５センチメートル上から最下部位に切込みを入れる。
脇開閉式ワンピース型水着の左脇切込みにファスナーを設ける。
ファスナーを設けた脇開閉式ワンピース型水着の肌に触れる部位に、あて布を設け、ファスナーを閉めやすくするためのマジックテープ（登録商標）を施す。
ファスナーを設けた部位の最下部位に不要にファスナーが開かないためのファスナー開放防止スナップ付きベルトを設ける。
子供用の場合はスナップではなく、マジックテープ（登録商標）を付ける。
本考案は、以上の構成よりなる脇開閉式ワンピース型水着である。
トイレを利用する場合は、ファスナー開放防止ベルトを外し、水着の裾を押さえ、ファスナーを最上部まで開き、開いた左脇の前身ごろの布を右足の方向に持ち上げるように捲り上げる。
後ろ身ごろの布は右の臀部に乗せるように捲り上げる。
水着のファスナーを閉じる時は、捲り上げた前後の布を元に戻し、マジックテープ（登録商標）を止め、水着の裾を押さえ、ゆっくりとファスナーを上から下へと下ろす。ファスナー開放防止ベルトのスナップ、子供はマジックテープ（登録商標）を止める。
【考案の効果】
【０００５】  本考案は、水着が濡れ身体にまとわりついた時でも簡単にトイレができる。また、脇を開放出来ることで、脱ぎ着も簡単である。
この脇開閉式ワンピース型水着は、健常者及び、特にハンディキャップ（身体障害）を持つ人にも脱がずにトイレが出来るので、安心感が得られる。
【考案を実施するための最良の形態】
【０００６】以下、本考案を実施するための最良の形態について説明する。
（イ）脇開閉式ワンピース型水着の左脇のウエスト位置の約５センチメートル上から水着の最下部位に切込みを設ける。両側が開閉しなくてもトイレの用を足す事は可能である。
（ロ）脇開閉式ワンピース型水着の左脇切込みにファスナーを設ける。
（ハ）ファスナーを設けた脇開閉式ワンピース型水着の肌に触れる部位に、あて布を設け、借り止め用のマジックテープ（登録商標）を施す。
（ニ）ファスナーを設けた最下部位に不要に開かないための、ファスナー開放防止スナップ付きベルトを設ける。子供用はマジックテープ（登録商標）使用。
本考案は以上の構成よりなっている。【０００７】  本考案を利用する場合は、ファスナー開放防止スナップ付きベルトのスナップ、子供用はマジックテープ（登録商標）を外し、水着の裾を押さえ、ファスナーを最上部位まで開き、開いた左脇の前身ごろの布を右足方向に持上げるように捲り上げる。後ろ身ごろの布は、右の臀部に乗せるように捲り上げる。
水着のファスナーを閉じる時は、捲り上げた前後の布を、元に戻しマジックテープ（登録商標）を止め、裾を押さえゆっくりとファスナーを上から下へと下ろし、ファスナー開放防止スナップ付きベルトのスナップ、子供用はマジックテープ（登録商標）を止める。
【図面の簡単な説明】
【０００８】
【図１】本考案の着用時の左脇側の説明図である。
【図２】本考案の使用方法の説明図である。
【符号の説明】
【０００９】１  ファスナー部
２  縫合部
３  ファスナー開放防止スナップ付きベルト
４  ファスナー部あて布
５  マジックテープ（登録商標）
６  ファスナー開放防止スナップ付きベルトのスナップ、子供用はマジックテープ（登録商標）を外す
７  前身ごろを右足方向に捲り上げる
８  後ろ身ごろを右臀部に乗せるように捲り上げる
【図１】
0003162721.tif 000003
【図２】
0003162721.tif 000004
(57)【要約】      （修正有）【課題】近年セルフプレーが定着しつつあるゴルフ場において、クラブの置き忘れや、雨天等でクラブグリップが濡れて滑ることなどを避けるための携帯簡易ゴルフクラブ立て掛け用具を提供する。【解決手段】簡易ゴルフクラブ立て掛け器具を地中に差し込み、数本のゴルフクラブを立て掛けられるとともに、タオルやビニールを掛けることにより、ボールを拭いたり、雨の時はクラブシャフトを濡らさないようにビニールを掛けたりできる。【選択図】図６
0003162703.tif 000002
【実用新案登録請求の範囲】
【請求項１】
ゴルフクラブの置き忘れ、雨天においてクラブグリップが濡れたり、汚れたりすることの防止、グリーンでのボール拭きタオルの常備などを実現する携帯式で簡易に持ち運べるゴルフクラブの立て掛け用具。
【考案の詳細な説明】
【技術分野】
【０００１】  本考案は、近年セルフプレーが定着しつつあるゴルフ場において、クラブの置き忘れや、雨天等でクラブグリップが濡れて滑ることなどを避けるための携帯簡易ゴルフクラブ立て掛け用具である。
【背景技術】
【０００２】  ゴルフ練習場やゴルフ場の練習場等には、ゴルフクラブの固定した立て掛け器具が見かけられるが、携帯用で移動可能なゴルフクラブを立て掛ける器具はまだ見たことがない。
【考案の概要】
【考案が解決しようとする課題】
【０００３】  近年、ゴルフ場ではセルフプレーが定着しつつある。このため、フェアウエイ、特にグリーン周りでは、ゴルフクラブを忘れるプレーヤーが多く、ゴルフ場でもクラブ探しに時間を取られるケースが急増している。一方、雨天におけるセルフプレーでは、プレーの途中で数本のクラブを持ってボールの位置に行くと、打つクラブ以外のクラブを濡れた地面に置かければならず、グリップが濡れたり、汚れたりするケースが多かった。さらに、グリーンに行った時でも、キャディがいないことから汚れたボールを拭くタオルをカートまで取りに行けないケースが多々ある。携帯式で簡易に持ち運べるゴルフクラブの立て掛け用具及びそれに付随するタオルやビニールかけがあれば、こうしたケースを解決することが可能である。
【課題を解決するための手段】
【０００４】  上記の課題を安全でかつ大量安価に解決するために、軽量かつ簡易で、雨天のためのビニールやボールを拭くためのタオルを常時装備できる携帯可能なゴルフクラブ立て掛け用具を開発する。
【考案の効果】
【０００５】  安全かつ大量安価で、軽量かつ簡易に携帯可能なゴルフクラブ立て掛け用具として、ゴルフバッグにも容易に収納でき、使用したい場所に簡単に設置できるようにするために、直径６ミリメートルの鉄線を用い、次項に示す形状にしてタオルやビニールを掛けることも可能なこれまでにない簡易ゴルフクラブ立て掛け器具を開発した。
【図面の簡単な説明】
【０００６】
【図１】見取り図  図１は、全体の見取り図である。（１）のゴルフクラブのシャフトの掛け口は、本考案の主要部分の一つで、曲線にしたのはクラブシャフトがなめらかに掛けられることを目的としており、開口部に少し曲がり込んでいるのは、引っ掛けたクラブが滑って倒れないための工夫である。（２）は本考案の素材の説明で、直径６ｍｍの鉄棒をクロムメッキしたものである。（３）はタオルやビニールカバーなどをくくりつけるリングをはめるための本体に溶接した穴開け鉄板である。（４）は（３）の穴開き鉄板にはめ込むリングである。このリングに金具付きのタオルやダブルクリップ等の用具でビニール等を取り付けたりするためのものである。（５）は本体をゴルフ場の地中に差し込む際、固い部分がある場合に足をかけて地中に入れやすくするための足踏み用突起で、本体と同じ素材を曲げて溶接したものである。
【０００７】
【図２】平面図  図２は、真上から見た平面図である。図の下部の突起は、本体の下部に溶接した足踏み用突起である。
【０００８】
【図３】正面図  図３は、正面から見た立面図である。
【０００９】
【図４】右側立面図  図４は、正面右側から見た立面図である。
【００１０】
【図５】左側立面図  図５は、正面左側から見た立面図である。
【００１１】
【図６】実施形態（実用例）  図６は、使用実態を想定した実用例の図である。
【考案を実施するための形態】
【実施例】
【００１２】  考案を実施するための形態として、図６の実施例を示した。図に示したように、本考案の簡易ゴルフクラブ立て掛け器具を地中に差し込み、数本のゴルフクラブを立て掛けられるとともに、タオルやビニールを掛けることにより、ボールを拭いたり、雨の時はクラブシャフトを濡らさないようにビニールを掛けたりできる。
【図１】
0003162703.tif 000003
【図２】
0003162703.tif 000004
【図３】
0003162703.tif 000005
【図４】
0003162703.tif 000006
【図５】
0003162703.tif 000007
【図６】
0003162703.tif 000008
【手続補正書】
【提出日】平成22年6月25日(2010.6.25)
【手続補正１】
【補正対象書類名】実用新案登録請求の範囲
【補正対象項目名】全文
【補正方法】変更
【補正の内容】
【実用新案登録請求の範囲】
【請求項１】
クロムメッキした直径６ｍｍの鉄棒の先端部分を、ゴルフクラブのシャフトの掛け口として、ベンダーで外側の直径７０ミリメートルの円に準じた約半弧形の曲線に曲げるとともに、その付け根を円弧状の部分が水平になるように直角に曲げた本体と、その本体の上端から６６ミリメートル下の部分にリングをはめ込める穴あき鉄板を溶接したものと、本体下端から上方１３５ミリメートルの位置に地中に差し込むための足踏み用突起部として、突き出し幅２４ミリメートル、突き出し高さ５５ミリメートルで本体と同じ素材のものを溶接したものからなる用具で、ゴルフ場においてフェアウエイやグリーン周りに差し込み、ゴルフクラブを立て掛けることができて、クラブ忘れやグリップ等の汚れを防止できるといった特徴を有する携帯用簡易ゴルフクラブ立て掛け用具。
(57)【要約】【課題】放熱効果のあるノート型パソコンの機体ケース構造を提供する。【解決手段】パソコン本体をプラスティック、アルミニウム或いはアルミニウム合金、マグネシウム合金で作成し、該本体の内部にＣＰＵ、インターフェイスカードなどの電子部品を搭載する回路基板を設ける。該本体に複数の穴を形成し、該穴の断面構造を外部に向けて拡大すると共にねじ山状に形成することにより、外部の空気の流通、熱対流効果を向上して、放熱効果が向上する。【選択図】  図２
0003162780.tif 000002
【実用新案登録請求の範囲】
【請求項１】
パソコンのケース本体において、
該本体をプラスティック、アルミニウム或いはアルミニウム合金、マグネシウム合金のいずれか一種類で構成し、該本体の内部にＣＰＵ、インターフェイスカードなどの電子部品を搭載する回路基板を配置すると共に、
該本体に複数の穴を設けて、外気を本体内部に導入することにより、本体の内部にて熱対流効果を向上したことを特徴とするノート型パソコンの機体ケース構造。
【請求項２】
前記本体の穴にねじ山を設けたことを特徴とする請求項１記載のノート型パソコンの機体ケース構造。
【請求項３】
前記本体の穴の断面形状を円錐状にすると共に、穴の径を本体外部から内部に向けて縮小したことを特徴とする請求項１記載のノート型パソコンの機体ケース構造。
【請求項４】
前記本体の穴にねじ山を設けたことを特徴とする請求項３記載のノート型パソコンの機体ケースの構造。
【考案の詳細な説明】
【技術分野】
【０００１】
本考案は、ノート型パソコンの機体ケースの構造に関し、特にコストが低く、効果的にノート型パソコン内部の温度を下げることのできるノート型パソコンの機体ケース構造に関する。
【背景技術】
【０００２】
近年のパソコン産業は飛躍的な発展を遂げ、特にノート型パソコンについては、装備の完璧さと作動速度のスピードアップを求めるほか、全体構造については重量を軽く、体積を小さくするほか、独特なデザインで美しい外観が求められる。アルミニウム合金は軽量な上に錆びにくく、加工、設置しやすいなどの特徴を持つため、広く３Ｃ製品の機体ケースに使用されている。特にノート型パソコンと携帯電話の機体ケースは、直に商品をプロテクトするものであるため、通常アルミニウム合金の機体ケースに、更に耐熱性、安定性及び加工における流動性の良いプラスティック材料を併せて使用して当該硬度を強化することで、素晴らしい性能を保つ。
【０００３】
しかし、前記ノート型パソコンの機体ケースは上述の効果に達することができるが、内部の電子部品が高速作動する際に生じる熱を効果的に排出することができない。ファンや放熱フィンを用いたとしても、温度を５０〜６０℃前後までしか下げられない。更にベストな放熱効果を期待するのであれば、全体の放熱システムであるファンやフィンとヒートパイプなどを増やす方法はあるが、相対的にコストも増えることになる。それらを鑑みて、ノート型パソコン内部の温度を効果的に下げ、且つコストダウンする方法を案出する必要があった。
【先行技術文献】
【特許文献】
【０００４】
【特許文献１】特開平９−２９３９８５号公報
【考案の概要】
【考案が解決しようとする課題】
【０００５】
前記公知構造の欠点を解決するため、本考案は効果的にノート型パソコンの内部温度を下げるノート型パソコンの機体ケースを提供することを主な課題とする。
【課題を解決するための手段】
【０００６】
前記課題を解決するために、本考案はノート型パソコンの機体ケース構造を提供する。当該本体はプラスティック或いはアルミニウム、或いはアルミニウム合金、マグネシウム合金のいずれか一種類で作られ、該本体の内部にＣＰＵ、インターフェイスカードなどの電子部品を搭載する回路基板を設ける。改良した部分は、本体に複数の穴を設置し、冷たい空気が該穴よりケース内部に入ると、本体内部にて熱対流効果を高める。
【０００７】
実施する際に、該本体の穴にねじ山を設ける。
【０００８】
実施する際に、該本体の穴は円錐状を呈し、穴の直径は本体外部から内部に向けて小さくなる。該本体の穴にもねじ山を設ける。
【０００９】
本考案によるノート型パソコンの機体ケースの構造を明確に示すために図に沿って詳細な説明を行う。
【考案の効果】
【００１０】
本考案の本体はプラスティック、アルミニウム或いはアルミニウム合金、マグネシウム合金のいずれか一種類で作られ、該本体の内部にＣＰＵ、インターフェイスカードなどの電子部品を設置する回路基板を設け、本体に複数の穴を増設するだけで、冷たい空気が該穴よりケース内部に入りやすく、内部にて熱対流効果を高めて、作動熱を放熱しやすくなる。
【図面の簡単な説明】
【００１１】
【図１】本考案におけるノート型パソコンの機体ケース構造の外観略図である。
【図２】本考案におけるノート型パソコンの機体ケース構造の使用状態略図である。
【図３】本考案の本体に設置する穴の局部略図である。
【図４】本考案の本体に設置する穴にねじ山を設けた局部略図である。
【図５】本考案の本体に設置する穴が円錐状である際の局部略図である。
【考案を実施するための形態】
【００１２】
〔実施例〕
図１から図４に示すものは、本考案のノート型パソコンの機体ケース構造の最良実施例である。本考案のノート型パソコンの機体ケース構造に使用される本体１は、プラスティックやアルミニウム、或いはアルミニウム合金、マグネシウム合金のいずれか一種類で作られる。
【００１３】
該本体１内部にＣＰＵ２、インターフェイスカードなどの電子部品を搭載する回路基板を設け、該本体１に複数の穴１１を開け、且つ該本体１の穴１１にねじ山１１１を設ける。
【００１４】
実施する際、図２に示すように、ノート型パソコンの内部部品であるビデオカードやＣＰＵ２などを作動する際に生じる熱は、ファン３或いは放熱フィンによって、放熱され、同時に本考案の本体１に設けた複数の穴１１を介し、ノート型パソコンの外部にある冷たい空気が該穴１１より入ることによって、本体１内部にて熱対流効果を高める。
【００１５】
図５に示すように、該本体１の穴１１を円錐状にすることによって、穴１１の直径は本体１外部から内部に向けて小さくなる。該本体１の穴１１にねじ山１１１を設けることにより、冷たい空気が該穴１１より入ると、圧力が増して熱対流効果を高める。
【００１６】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１７】
１、本体
１１、穴
１１１、ねじ山
２、ＣＰＵ
３、ファン
【図１】
0003162780.tif 000003
【図２】
0003162780.tif 000004
【図３】
0003162780.tif 000005
【図４】
0003162780.tif 000006
【図５】
0003162780.tif 000007
(57)【要約】      （修正有）【課題】海水が混入することにより生成される水和物によるパイプの詰まりを解消して、流出する石油を確実に回収することにより大規模な環境破壊を防ぐことができる海底油田における流出石油の回収装置を提供する。【解決手段】石油の流出口を覆うドーム１の頂部にパイプ２の先端を接続するとともに該パイプ２の基端を浮体３のタンク３ａに接続し、また、上端に駆動機構５を設けた水和物破砕用のスクリュウ４をパイプ２を通じてドーム１内まで嵌挿させるとともに該パイプ２にアンカー８を複数接続する。海水と石油が混ざることにより生成される水和物により塞がれるドーム１の頂部やパイプ２内は、回転するスクリュウ４により開通されて石油類はパイプ２を通じて浮体３のタンク３ａまで送り出される。【選択図】図１
0003162784.tif 000002
【実用新案登録請求の範囲】
【請求項１】
石油の流出口を覆うドームの頂部にパイプの先端を接続するとともに該パイプの基端を浮体のタンクに接続し、また、上端に駆動機構を設けた水和物破砕用のスクリュウをパイプを通じてドーム内まで嵌挿させるとともにパイプにアンカーを複数接続したことを特徴とする海底油田における流出石油の回収装置。
【考案の詳細な説明】
【技術分野】
【０００１】
本考案は海底油田においてライザパイプ等の破損により発生した流出石油の流出を抑えて回収する海底油田における流出石油の回収装置に関するものである。
【背景技術】
【０００２】
従来、タンカーの沈没や座礁等により海面に流出した石油を回収する方法は種々提案されている（例えば、特許文献１参照）。
【０００３】
しかし、海底から石油を汲みあげる石油リグのライザパイプが破損して発生する大規模な石油流出に対応した回収装置はなかった。これは石油リグのようなシステムの場合、石油の暴噴防止装置が組み込まれていて、事故があった場合、暴噴防止装置が作動して石油の暴噴は自動的に遮断されるようになっているからである。しかし、暴噴防止装置が作動しないとメキシコ湾におけるような大規模な石油流出事故が発生する。このような事故に対して、石油の流出箇所をドームで覆い、ドームの頂部に接続したパイプで石油を回収する方法が実施されたが、石油に海水が混入することにより水和物が形成され、ドームの頂部やパイプが詰まって流出石油の回収ができないうえに、頂部やパイプが塞がれることによりドームと海底との間に生じる隙間から石油が流出して海洋汚染を抑えることができなかった。
【先行技術文献】
【特許文献】
【０００４】
【特許文献１】特開平１０−２９７５８４号公報
【考案の概要】
【考案が解決しようとする課題】
【０００５】
本考案は、海水が石油に混入することにより生成される水和物により発生するパイプの詰まりを解消し、流出石油を確実に回収して海洋汚染を防ぐことができる海底油田における流出石油の回収装置を提供することを目的とするものである。
【課題を解決するための手段】
【０００６】
本考案は、石油の流出口を覆うドームの頂部にパイプの先端を接続するとともに該パイプの基端を浮体のタンクに接続し、また、上端に駆動機構を設けた水和物破砕用のスクリュウをパイプを通じてドーム内まで嵌挿させるとともにパイプにアンカーを複数接続したことを特徴とする海底油田における流出石油の回収装置である。
【考案の効果】
【０００７】
本考案は、石油の流出口を覆うドームの頂部にパイプの先端を接続するとともに該パイプの基端を浮体のタンクに接続し、また、上端に駆動機構を設けた水和物破砕用のスクリュウをパイプを通じてドーム内まで嵌挿させるとともにパイプにアンカーを複数接続したことにより、ドームの頂部やパイプ内に生成される水和物は回転するスクリュウにより破砕されてパイプの詰まりは解消されるので、流出石油は海上のタンクに回収され海洋汚染は防止されることとなる。
【図面の簡単な説明】
【０００８】
【図１】本考案の好ましい実施形態を示す正面図である。
【図２】同じく要部の正面図である。
【図３】同じく要部の平面図である。
【考案を実施するための形態】
【０００９】
次に、本考案の好ましい実施形態を図に基づいて詳細に説明する。
１は略円錐形状をした鋼鉄製のドームであり、該ドーム１の頂部には石油を回収するパイプ２の先端が接続されている。ドーム１は石油の浮力や噴出圧により浮き上がらないだけの重量を有するものとしている。また、該パイプ２の基端は海上にＧＰＳにより位置決めされる船型の浮体３のタンク３ａに接続されて破砕された水和物や石油等の回収物を収容できるようになっている。
【００１０】
４はパイプ２を通じてドーム１内まで嵌挿されるスクリュウであり、該スクリュウ４は水和物が生成されないときはパイプ２内に嵌挿せず、水和物によりパイプ２やドーム１が閉塞された際に嵌挿させて詰まりを解消するものとする。また、スクリュウ４は基端を浮体３の駆動機構５により回転されるようになっている。そして、スクリュウ４を回転させることによりドーム１内やパイプ２内に生成される水和物を破砕して流動化させ、流路を開通させるものである。また、水和物が破砕された際には、スクリュウ４をパイプ１内から引き上げて回収石油の送出量を増したり、駆動機構５の回転数を上げて石油の送出速度を高めるようにしたりしてもよい。
【００１１】
６はドーム１の下端周縁に取り付けられる弾性材よりなるシール材であり、該シール材６により海底の起伏などにより生じる隙間をなくすようにしている。
【００１２】
７はドーム１とパイプ２との接合部を補強するリブである。８はパイプ２が潮流などにより移動することを防止するアンカーであり、該アンカー８は錘８ａと連繋材８ｂとテンショナー８ｃとからなる。テンショナー８ｃは連繋材８ｂの緩みを吸収させるためのものである。Ｒはライザパイプ、Ｌは海底に設けられた石油の暴噴防止装置である。
【００１３】
このように構成されたものは、事故などによりライザパイプＲが海底で破断し、暴噴防止装置Ｌが機能せず石油が大量に流出している場合、石油が流出している位置の海上に浮体３を移動させたうえ、ドーム１に順次、パイプ２を接続しつつドーム１を石油の流出箇所に向けて沈降させていく。
【００１４】
そして、海底のライザパイプＲの破断個所にドーム１の開口を被せて封鎖すれば、流出する石油はドーム１に接続されたパイプ２を通じて浮体３に設けられたタンク３ａ内に送り出されることとなるが、ドーム１内の石油が海水と混ざって水和物が生成されるとドーム１の頂部やパイプ２内は閉塞されるので、その場合はパイプ２内にスクリュウ４を嵌挿してスクリュウ４を駆動機構５により回転させることにより、パイプ２内やドーム１の頂部付近に生成された水和物は破砕される。このように水和物が破砕されることにより流出石油はパイプ２を通じて浮体３のタンク３ａ内まで送出されることとなる。
【符号の説明】
【００１５】
１  ドーム
２  パイプ
３  浮体
3a  タンク
４  スクリュウ
５  駆動機構
６  シール材
７  リブ
８  アンカー
8a  錘
8b  連繋材
8c  テンショナー
Ｒ  ライザーパイプ
Ｌ  暴噴防止装置
【図１】
0003162784.tif 000003
【図２】
0003162784.tif 000004
【図３】
0003162784.tif 000005
(57)【要約】【課題】ユーザーにおける取り扱いの際に、手指等に怪我をしてしまうという危険を回避することができ、安全性に配慮した紙製綴じ具を用いた冊子を提供することを目的とする。【解決手段】この紙製綴じ具を用いた冊子は、細長い帯状の基部４と、基部４の長手方向と直交する方向へ突出する多数のリング状櫛歯部２とからなる紙製綴じ具１によって複数枚の紙葉１１を綴じてなるものであり、基部４の角部４ａが円弧状となっており、又は、斜め方向に面取りされていることを特徴としている。【選択図】図１
0003162782.tif 000002
【実用新案登録請求の範囲】
【請求項１】
細長い帯状の基部と、当該基部の長手方向と直交する方向へ突出する多数のリング状櫛歯部とからなる紙製綴じ具によって、複数枚の紙葉を綴じてなる冊子であって、
前記基部の角部が、円弧状となっており、又は、斜め方向に面取りされていることを特徴とする紙製綴じ具を用いた冊子。
【考案の詳細な説明】
【技術分野】
【０００１】
本考案は、紙製綴じ具を用いて複数枚の紙葉を綴じ合わせて製造した冊子に関し、特に、使用時における安全性に配慮した紙製綴じ具を用いた冊子に関する。
【背景技術】
【０００２】
カレンダーやノート等の冊子を綴じる手段としては、従来より、螺旋状或いはリング状に成形された金属製の綴じ金具が広く用いられてきたが、金属製の綴じ金具は焼却できないため、それらの冊子を廃棄する際には、紙製の冊子本体から綴じ金具を取り外し、分別する必要があり、非常に煩雑であるという問題があるほか、冊子本体から綴じ金具が取り外されることなく、可燃物ゴミとして廃棄されてしまう可能性もあり、環境保護等の観点からも問題がある。
【０００３】
そこで近年では、廃棄の際の分別作業が不要で、全体を焼却することができるという利点を有する紙製の綴じ具が開発され、市場に供給されている。
【先行技術文献】
【特許文献】
【０００４】
【特許文献１】特開２００５−１１１８３５号公報
【特許文献２】特開２００５−５１０９０号公報
【特許文献３】特開２０１０−４２６３５号公報
【特許文献４】特開２０１０−１３７４８４号公報
【考案の概要】
【考案が解決しようとする課題】
【０００５】
上記特許文献１、及び、特許文献２において開示されている紙製の綴じ具は、長方形の厚手の紙を二つ折りにして重ね合わせ、折り目のある辺から所定の範囲を基部とし、基部以外の部分に、溝状の切り込みを等間隔で多数形成することにより、基部の長手方向と直交する方向へ突出する多数の櫛歯部を形成し、それらの櫛歯部をそれぞれリング状に丸めることによって製造される。
【０００６】
この紙製綴じ具は、細長い帯状の基部の一辺において、多数（例えば、５０〜１００個）のリング状の櫛歯部が等間隔に隣接して連なった状態で製造されるが、この紙製綴じ具を用いて冊子を製造する場合、まず、紙製綴じ具が適当な長さ（例えば、櫛歯部三個分の長さ）に裁断される。そして、図２に示すように、裁断された紙製綴じ具２１の櫛歯部２２の先端部２３を、複数枚重ね合わせた紙葉１１の綴じ穴１２内に通し、先端部２３を基部２４に対して接着する。
【０００７】
このようにして製造された冊子においては、次のような問題がある。紙製綴じ具２１が裁断される際、プレス刃などによって単純に切断されるため、基部２４の角部２４ａが尖った状態となり、ユーザーが取り扱う際に、手指等に怪我をしてしまう危険がある。
【０００８】
本考案は、上記のような従来の問題を解決すべくなされたものであって、使用時における安全性に配慮した紙製綴じ具を用いた冊子を提供することを目的とする。
【課題を解決するための手段】
【０００９】
本考案に係る紙製綴じ具を用いた冊子は、細長い帯状の基部と、当該基部の長手方向と直交する方向へ突出する多数のリング状櫛歯部とからなる紙製綴じ具によって複数枚の紙葉を綴じてなるものであり、基部の角部が、円弧状となっており、又は、斜め方向に面取りされていることを特徴としている。
【考案の効果】
【００１０】
本考案に係る紙製綴じ具を用いた冊子は、紙製綴じ具の基部の角部が尖っていないため、取り扱い時における怪我等の事故を好適に回避することができ、安全に使用することができる。
【図面の簡単な説明】
【００１１】
【図１】図１は、本考案に係る紙製綴じ具を用いた冊子の部分拡大斜視図である。
【図２】図２は、従来の紙製綴じ具を用いた冊子の部分拡大斜視図である。
【考案を実施するための形態】
【００１２】
以下、添付図面に沿って、本考案に係る紙製綴じ具を用いた冊子の実施形態について説明する。図１は、本考案に係る紙製綴じ具を用いた冊子の部分拡大斜視図である。この冊子は、従来のものと同様に、適当な長さ（櫛歯部２三個分の長さ）に裁断された紙製綴じ具１の櫛歯部２の先端部３を、複数枚重ね合わせた紙葉１１の綴じ穴１２内に通し、先端部３を基部４に対して接着することによって製造される。
【００１３】
そしてこの冊子は、紙製綴じ具１の角部４ａが円弧状に裁断されており、上述した従来の冊子のように、角部が尖っておらず、怪我等の事故を好適に回避することができ、安全に使用することができる。
【００１４】
尚、本実施形態においては、角部４ａが円弧状に裁断されているが、角部の端を斜め方向にカットして、面取りするようにしてもよい。
【符号の説明】
【００１５】
１，２１：紙製綴じ具、
２，２２：櫛歯部、
３，２３：先端部、
４，２４：基部、
４ａ，２４ａ：角部、
１１：紙葉、
１２：綴じ穴
【図１】
0003162782.tif 000003
【図２】
0003162782.tif 000004
(57)【要約】【課題】  情報端末等の操作画面を立て掛けるための折畳み式の脚部を付加したケースに於いて、収納時に脚部のケース背面からの突出を最小に抑える機構により携帯性を高めた折畳み脚付きケースを提供することを課題とする。【解決手段】  情報端末等のケースの背面側に対角に支持穴を配置し、該支持穴を支点として開閉するＬ型の折畳み式の脚部と、脚部の開脚時に脚部とケースを連結する連結帯で構成することで携帯性を高めた折畳み脚付きケースを提供するという課題を解決する。【選択図】図１
0003162894.tif 000002
【実用新案登録請求の範囲】
【請求項１】
ケースと折畳み式の脚部を連結帯で結ぶことを特徴とする情報端末等のケース。
【請求項２】
請求項１に於いて折畳み式の脚部をＬ型形状とし、ケースの端部に沿わせて配置したことを特徴とする情報端末等のケース。
【請求項３】
請求項１に於いてケースと連結帯をエラストマー等の軟質材で一体に成形したことを特徴とする情報端末等のケース。
【請求項４】
請求項２に於いて折畳み式の脚部のＬ型形状の両辺のそれぞれの長さがケース本体の対応するそれぞれの辺の２分の１以上の長さを有することを特徴とする情報端末等のケース。
【考案の詳細な説明】
【技術分野】
【０００１】  本考案は、情報端末等のケースに関する物である。
【背景技術】
【０００２】  従来の技術思想では、情報端末等を立て掛ける構造を付加したケースでは立て掛ける脚部がケース背面から飛び出し、携帯性を損なう問題があった。
【先行技術文献】
【特許文献】
【０００３】  特許公開２００１−１７５１８７号  公報
【考案の概要】
【考案が解決しようとする課題】
【０００４】  本考案は、情報端末等の操作画面を立て掛けるための折畳み式の脚部を付加したケースに於いて、脚部の開脚時には十分な保持強度を持ち収納時には脚部のケース背面からの突出を最小に抑える機構により携帯性を高めた折畳み脚付きケースを提供することを課題とする。
【課題を解決するための手段】
【０００５】  本考案は情報端末等のケースの背面側に対角に支持穴を配置し、該支持穴を支点として開閉するＬ型の折畳み式の脚部と、脚部の開脚時に脚部とケースを連結する連結帯で構成することで携帯性を高めた折畳み脚付きケースを提供するという課題を解決する。
【考案の効果】
【０００６】  情報端末等は携帯性を考慮して持ちやすさ並びに手で支えての操作性を重視して外観形状が決められる。大型の端末では机上で入力操作等を行う場合、端末本体を作業者の方向に対向させて立て掛ける為の脚を使用することで操作は快適になる。携帯性を考慮すると脚部は折畳み式が望ましく、背面からの突出を最小に抑える為に薄い脚部を背面端部に配置する。脚部の開脚時に脚部とケースを連結帯で繋ぐことで脚部のたわみを抑え、机上に情報端末等を安定して立て掛ける事が出来る。こうして情報端末等を安定して立て掛ける事で作業者は快適に操作することが可能となる。
【図面の簡単な説明】
【０００７】
【図１】情報端末等のケースの実施例の脚部を開いた状態の裏面俯瞰図である。
【図２】情報端末等のケースの実施例の部品構成図である。
【図３】情報端末等のケースの実施例の脚部を開いた状態の側面図である。
【図４】情報端末等のケースの実施例の脚部を開いた状態の側面図である。
【図５】脚部と連結帯の詳細断面図である。
【図６】脚部と連結帯の詳細俯瞰図である。
【考案を実施するための形態】
【０００８】  情報端末等の形状に追従したケースを樹脂等で形成し、背面の対角位置に折り畳み脚部の開閉支点部を差し込む穴を配置する。折り畳み脚部の開閉支点部を該差し込み穴に差し込み、連結帯を折り畳み脚部の固定部に固着する。
【実施例】
【０００９】  以下、添付図面に基づいて実施例を説明する。図１は本考案の情報端末等のケースの脚部を開いた状態の裏面俯瞰図である。ケース２の背面に対角に配置した支持部３の穴に脚部５の軸５ａを挿入し、連結帯４でケース２と脚部を連結して脚部の開脚位置を規制している。【００１０】  図２は部品構成図である。実施例では連結帯４はエラストマー等の軟質樹脂と一体に成形される。連結帯４には連結帯が収納される際の折り曲げ部となる凹形成部４ａを設ける。脚部５には開口５ｂを通して連結帯４の端部固定穴４ｂを固定する固定凸ピン５ｃを設ける。【００１１】  図３は情報端末等１を縦長状態で画面閲覧する為に折り畳み脚部５を開いて立て掛けた状態の側面である。図４は情報端末等を横長状態で画面閲覧する為に折り畳み脚部５を開いて立て掛けた状態の側面である。【００１２】  図５は情報端末等１にケース２を装着した状態で、折り畳み脚部５の開口５ｂを通って固定凸ピン５ｃに連結帯４が折り曲げ部となる凹形成部４ａで曲げられて固着される状態を示す断面図である。連結帯がケースの凹みに折り曲げ収納される為に、ケースには凹みを設けている。図６は図５の状態を俯瞰した図である。
【符号の説明】
【００１３】１  情報端末本体
２  ケース
４  連結帯
５  脚部
【図１】
0003162894.tif 000003
【図２】
0003162894.tif 000004
【図３】
0003162894.tif 000005
【図４】
0003162894.tif 000006
【図５】
0003162894.tif 000007
【図６】
0003162894.tif 000008
【手続補正書】
【提出日】平成22年7月2日(2010.7.2)
【手続補正１】
【補正対象書類名】実用新案登録請求の範囲
【補正対象項目名】全文
【補正方法】変更
【補正の内容】
【実用新案登録請求の範囲】
【請求項１】
ほぼ四角形状の情報端末の後付ケースの背面側の対角に近い位置に支持穴をそれぞれ１箇所配置し、該支持穴に挿入する支持軸をＬ型形状の脚部両端に設け、該支持軸を支点としてＬ型形状の脚部は開閉し、情報端末を立て掛ける際はＬ型形状の脚部を開き、携帯するときは脚部を閉じて該後付ケースの背面側コーナーに収納する事を特徴とする携帯性を高めた情報端末の後付ケース。
【請求項２】
Ｌ型形状の脚部と情報端末の後付ケースを連結帯で連結し、脚部を開いた時に連結帯が張る事で確実に脚部の開位置を保持する事を特徴とする請求項１に記載の情報端末の後付ケース。
【請求項３】
情報端末の後付ケースを軟質樹脂又はゴム等で成形し、後付ケースと脚部を連結する連結帯も一体で成形した事を特徴とする請求項２に記載の情報端末の後付ケース。
【請求項４】
後付ケースと脚部を連結する連結帯が、脚部を閉じた時に脚部に設けた凹部分に折り畳み格納される事を特徴とする請求項２に記載の情報端末の後付ケース。